(57)【要約】【課題】プリペイドコールおよびクレジットコール等の通信事業者との間で追加ダイヤル情報が要求される煩わしさを解消する電話通信方式を提供する。【解決手段】発信者である電話端末１２の使用者は、通信事業者１４と予め契約し、与えられたＩＤ番号とパスワード等の追加ダイヤル情報を、事前に交換機１１のメモリに登録する。そして、発信者１２がこの通信事業者１４を呼び出すと、交換機１１のメモリに登録された追加ダイヤル情報を発信者１２代わり通信事業者１４に送信する。その後、発信者１２は、相手先にダイヤルして通話する。【選択図】　　　　　図１
2004023313.tif 000002
【特許請求の範囲】
【請求項１】
発信者が外線に電話をかける際に、通信事業者により更に追加ダイヤルを要求される電話通信方式において、
前記通信事業者から前記発信者に要求される前記追加ダイヤル情報を前記発信者に代わり交換機から前記通信事業者に対して自動的に送信することを特徴とする電話通信方式。
【請求項２】
前記発信者が使用する電話端末が接続される前記交換機は、メモリを備え、この前記発信者の前記追加ダイヤル情報を事前に登録することを特徴とする請求項１に記載の電話通信方式。
【請求項３】
前記追加ダイヤル情報は、ＩＤ番号およびパスワード等を含むことを特徴とする請求項１又は２に記載の電話通信方式。
【請求項４】
前記発信者は、予め複数の通信事業者と契約して登録可能であることを特徴とする請求項１、２又は３に記載の電話通信方式。
【請求項５】
前記通信事業者は、プリペイドカードの提供サービス業者であることを特徴とする請求項１、２、３又は４に記載の電話通信方式。
【請求項６】
前記通信事業者は、クレジットコールの提供サービス業者であることを特徴とする請求項１、２、３又は４に記載の電話通信方式。
【発明の詳細な説明】
【０００１】
【発明の属する技術分野】
本発明は電話通信方式に関し、特に外線（網）に電話する際に契約した通信事業者を介して通信する電話通信方式に関する。
【０００２】
【従来の技術】
電話機は、各種の機能が付加されて益々多様化且つ高性能化している。また、通信技術の進歩により国内はもとより海外の相手先とも自由に通話可能になっている。更に、通信事業の規制緩和により、多数の通信サービス業者（通信事業者）が、それぞれ異なる料金体系で通信サービスを提供しているので、発信者又は利用者は自己の通信目的に応じて最も効率的又は経済的な通信事業者を選択することが可能になっている。
【０００３】
例えば、プリペイドコールおよびクレジットコール等のサービスが提供されている。これらのサービスを受けるには、例えば数１０桁の番号および記号等の情報の入力（ダイヤル）又は通知を必要とする。
【０００４】
プリペイドコールは、発信者（又は電話端末保持者）が予めプリペイドカードを提供する通信事業者から所定金額のプリペイドカードを購入し、この金額内で自由に通話可能にする。発信者は、通話に際して、通信事業者に電話し、自己のＩＤ番号やパスワードを通知し、更に相手先の電話番号等を通知して初めて通話可能である。これにより、発信者は、プリペイドした金額を超える料金を請求される心配なく、安心して通話することが可能になる。
【０００５】
また、クレジット通話は、使用する電話端末に関係なく（即ち、自己の電話端末、他人から借用した電話端末又は公衆電話機を使用して）、事前登録した電話番号に課金するサービスである。利用者は、通信事業者と契約して、クレジット番号を受け取り、暗証番号を登録しておく。通話時には、オペレータを呼び出し、クレジット番号および暗証番号を伝えて（又はダイヤルでこれらのデータを入力して）相手先に接続してもらう。このサービスにより、利用者は、例えば借用した他人の電話端末であっても又は公衆電話機を使用しても、事前に登録した、例えば自宅の自己の電話機を使用するのと同様にサービスを受けることが可能である。電話を借用した他人に通話料金の負担をかけることなく、また公衆電話機の使用に現金を用意する必要がないという利点を有する。
【０００６】
斯かる技術分野に関連する従来技術は、例えば特開２０００−５９４９７号公報の「電話機」および特表２００２−５０３４１６号公報の「「プリペイド」モードにおける端末に対する加入の動的管理のための方法」等に開示されている。前者は、発信元電話番号認識機能を有する電話機に、自動発信後に発信元番号別の自動応答メッセージを行う機能を有する電話機を開示している。また、後者は、遠距離通信ネットワーク内において、プリペイドモードにおける端末に対する加入の動的管理のための方法を開示している。
【０００７】
図３は、従来技術による自動ダイヤル操作手順を示すシーケンス図である。図３には、ＰＢＸ（交換機）側又は発信者１００、通信事業者側（以下、単に業者という場合もある）１１０および通信相手先である先方受信者１２０間における操作ステップを、時系列的に示している。
【０００８】
先ず、発信者１００は、業者番号（例えば、０３１２３４５６７８）をダイヤルして業者側１１０を呼び出す（ステップＳ１）。次に、業者側１１０が応答し、音声（又はトーン）にてその後のダイヤルを要求する（ステップＳ２）。そして、発信者１００は、例えば１＃（国際ダイヤル等の言語番号）をダイヤルする（ステップＳ３）。すると、業者側１１０からＩＤ番号のダイヤル要求が音声又はトーンにより行われる（ステップＳ４）。
【０００９】
このダイヤル要求に対して、発信者１００は、ＩＤ番号（例えば、１１１１２２２２３３３３４４４４＃）をダイヤルする（ステップＳ５）。次に、業者側１１０からパスワード番号ダイヤルが音声又はトーンにより要求される（ステップＳ６）。そこで、発信者１００は、パスワード（例えば、１２３４５６＃）をダイヤルする（ステップＳ７）。次に、業者側１１０から相手の電話番号が音声又はトーンにより要求される（ステップＳ８）。これに対して、発信者１００は、相手の電話番号（例えば、０１２２２２３３３３４４４４）をダイヤルする（ステップＳ９）。これにより、業者側１１０は、先方受信者１２０の電話番号（例えば、０１２２２２３３３３４４４４）に接続して発信者１００と先方受信者１２０とが通話可能になる（ステップＳ１０）。
【００１０】
【発明が解決しようとする課題】
以上の説明で明らかな如く、従来技術では、送信者１００は、業者側１１０との間で多数回の複雑なダイヤル操作を行う必要があり、煩雑であるのみならず時間を浪費するという課題があった。また、これら多数の追加ダイヤル情報を記憶し正確にダイヤル、入力又は伝達するのは困難である。入力誤りを犯し、再入力が必要な場合もあり、煩わしく、緊急時には不便である。
【００１１】
【発明の目的】
本発明は、従来技術の上述した課題に鑑みなされたものであり、簡単な操作により迅速に希望する相手先と通話可能にする電話通信方式を提供することを目的とする。
【００１２】
【課題を解決するための手段】
前述の課題を解決するため、本発明による電話通信方式は次のような特徴的な構成を採用している。
【００１３】
（１）発信者が外線に電話をかける際に、通信事業者により更に追加ダイヤルを要求される電話通信方式において、
前記通信事業者から前記発信者に要求される前記追加ダイヤル情報を前記発信者に代わり交換機から前記通信事業者に対して自動的に送信する電話通信方式。
【００１４】
（２）前記発信者が使用する電話端末が接続される前記交換機は、メモリを備え、この前記発信者の前記追加ダイヤル情報を事前に登録する上記（１）の電話通信方式。
【００１５】
（３）前記追加ダイヤル情報は、ＩＤ番号およびパスワード等を含む上記（１）又は（２）の電話通信方式。
【００１６】
（４）前記発信者は、予め複数の通信事業者と契約して登録可能である上記（１）、（２）又は（３）の電話通信方式。
【００１７】
（５）前記通信事業者は、プリペイドカードの提供サービス業者である上記（１）、（２）、（３）又は（４）の電話通信方式。
【００１８】
（６）前記通信事業者は、クレジットコールの提供サービス業者である上記（１）、（２）、（３）又は（４）の電話通信方式。
【００１９】
【発明の実施の形態】
以下、本発明による電話通信方式の好適実施形態の構成および動作を、添付図面を参照して詳細に説明する。
【００２０】
先ず、図１は、本発明による電話通信方式の好適実施形態の構成を示すブロック図である。この電話通信方式は、ＰＢＸ（交換機）１１、電話端末１２、電話網１３、プリペイドカードを提供するサービス業者等の通信事業者１４および長距離電話会社（又は国際電話会社）１５により構成される。尚、図１中には１つの通信事業者１４を示すのみであるが、発信者である電話端末１２の使用者は、複数の通信事業者１４と契約して、通信目的（例えば、国際電話か国内電話等の相手先の所在地等）に応じて選択的に使用可能である。
【００２１】
図１に示す本発明による電話通信方式では、ＰＢＸ１１のメインメモリ（図示せず）にプリペイドカードを提供するサービス業者（通信事業者）１４の電話番号に対応するプリペイドカードのＩＤ番号、パスワード（ダイヤル）等を予め登録しておく。そして、発信者が電話機１２によりサービス提供業者１４の番号をダイヤルすると、このダイヤル情報からＰＢＸ１１が、登録された上述のデータを検索し、上述した従来技術では発信者が行っていた大半の動作を自動的に行う。そして、最後に発信者が相手の電話番号をダイヤル（手動）することにより通話を可能にする。尚、パスワードは、他人による盗用又は悪用を避けるために、発信者が適宜変更可能であり、変更毎に交換機１１への登録を更新する。
【００２２】
ここで、上述したＩＤ情報を登録するＰＢＸ１１のメモリには、ダイヤル０〜９の数字以外に＃およびポーズ等も登録可能である。以下、図１に示す本発明による電話通信方式の動作を、図２のシーケンス図を参照して詳細に説明する。
【００２３】
先ず、発信者は、通話する際には、電話端末１２から通信事業者１４の電話番号（例えば、０３１２３４５６７８）をダイヤルする（ステップＡ１）。これに対して、通信事業者１４が応答し、音声又はトーンにてその後のダイヤル要求を行う（ステップＡ２）。次に、ＰＢＸ１１は、応答を認識し、発信ダイヤルに対応した予め登録されたデータを自動検索し、一括してダイヤル（例えば、１＃１１１１２２２２３３３３４４４４＃１２３４５６＃）を行う（ステップＡ３）。このステップを、図２中には、矢印ＡＤにて示す。そして、通信事業者１４から発信者に対して音声又はトーンで相手電話番号が要求される（ステップＡ４）。最後に、発信者は、相手電話番号（例えば、０１２２２２３３３３４４４４）を手動でダイヤルする（ステップＡ５）。
【００２４】
以上、本発明による電話通信方式の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００２５】
【効果の説明】
以上の説明から理解される如く、本発明の電話通信方式によると、次の如き実用上の顕著な効果が得られる。即ち、発信者は、予め契約した１以上の通信事業者の電話番号をダイヤルするだけで、ＰＢＸがそのメモリに予め登録された追加ダイヤル情報を自動的にダイヤルして送出することが可能である。従って、発信者は、自己のＩＤ情報等の番号情報を覚える必要はなく、煩雑な操作や無駄な記憶を省くことができると共に、迅速に相手と通話することが可能である。
【図面の簡単な説明】
【図１】本発明による電話通話方式の好適実施形態の構成を示すブロック図である。
【図２】本発明の動作を説明するためのシーケンス図である。
【図３】従来技術の動作を示すためのシーケンス図である。
【符号の説明】
１１　ＰＢＸ（交換機）
１２　電話端末（発信者）
１３　電話網
１４　通信事業者
１５　長距離電話会社（国際電話会社）
【図１】
2004023313.tif 000003
【図２】
2004023313.tif 000004
【図３】
2004023313.tif 000005